(57)【特許請求の範囲】
【請求項１】
内側層を有する保護外被を備え、内側層は、外被の延長部分の少なくとも一部にわたって延びて、内部空間を内側に形成し、内側層は、通気性衣類により被覆された人体の汗がより多く生じる領域にユーザの身体から汗の蒸気を内部空間に自由に出入りさせる吸込み孔を有し、内側層および外被は、煙突効果により導かれた蒸気を排出する排出孔を衣類の上部領域に有し、それによって、水蒸気が前記吸込み孔と排出孔とを接続する内部空間内で循環および上昇し、内側層および外被は、水、不純物、または他の物質を中に入れないための水滞留手段と組み合わされてなる通気性衣類。
【請求項２】
内側層が、2枚の平行な平坦なシート間に硬質の波形繊維シートを挟むことにより得られることを特徴とする請求項１記載の通気性衣類。
【請求項３】
内側層が、パイル織物状の材料で製造されていることを特徴とする請求項１記載の通気性衣類。
【請求項４】
内側層が、列に配置された多数の小チューブにより構成されていることを特徴とする請求項１記載の通気性衣類。
【請求項５】
内側層が、生綿で構成されていることを特徴とする請求項１記載の通気性衣類。
【請求項６】
内側層が、立体メッシュであることを特徴とする請求項１記載の通気性衣類。
【請求項７】
立体メッシュが、商標ナイロンで商業的に知られている材料で作られていることを特徴とする請求項６記載の通気性衣類。
【請求項８】
水滞留手段が、蒸気に透過性および/または空気に透過性があると共に不透水性である膜により構成され、かつ、上記蒸気発散孔が形成されている上部に配置され、上記膜が、上記外被と上記内側膜間に挟まれていることを特徴とする請求項１〜７のいずれか１つに記載の通気性衣類。
【請求項９】
上記膜が、外側および/または内側保護層と組み合わされていることを特徴とする請求項８記載の通気性衣類。
【請求項１０】
蒸気排出孔が形成されている上部領域において、保護外被と内側層間に、水滞留手段が、作動位置から阻止位置まで摺動しうる平坦要素により構成され、そこに貫通孔が形成され、その貫通孔が、平坦要素が作動位置にあるときに蒸気排出孔と整合することを特徴とする請求項１〜８のいずれか1つに記載の通気性衣類。
【請求項１１】
平坦要素が延長部を備え、この延長部が、作動位置から阻止位置までおよびその逆に平坦要素を摺動させるようユーザの動作によって直接に利用されうることを特徴とする請求項１０記載の通気性衣類。
【請求項１２】
蒸気排出孔が形成された外被の上部領域において、透過手段が、孔を被覆するように装着されたフラップにより構成され、そのフラップが、外被に向いた面に、フラップを部分的に持ち上げそして蒸気が孔から発散されるようになっているリッジを有することを特徴とする請求項１〜７のいずれか1つに記載の通気性衣類。
【請求項１３】
フラップが、固定手段により外被につながっていることを特徴とする請求項１２記載の通気性衣類。
【請求項１４】
固定手段が、ステッチシームにより構成されていることを特徴とする請求項１３記載の通気性衣類。
【請求項１５】
固定手段が、商標ベルクロで商業的に知られている材料からなるストリップにより構成されていることを特徴とする請求項１４記載の通気性衣類。
【請求項１６】
蒸気排出孔が形成された外被の上部領域において、水滞留手段が、1層で構成された外被により形成され、かつ多数の小ドームを形成するような形状を有し、かつ商標名ストマテックスで商業的に公知であり、スリットが、小ドームのそれぞれの上部に形成され、かつ内部空間に連通された対応通路に整合していることを特徴とする請求項１〜７のいずれか1つに記載の通気性衣類。
【請求項１７】
水滞留手段が、蒸気排出孔のそれぞれに設けられたワンウエーバルブにより構成されていることを特徴とする請求項１〜７のいずれか1つに記載の通気性衣類。
【請求項１８】
水滞留手段が、
--外向きに配置される側に中央から周縁部に向かって傾斜した形状と上部中央開口とを有するディスク状要素を適当な開口で衣類の布に固定するための手段を備えたディスク状要素と、
--ディスク状要素から実質的に立ち上がり、それに周縁部で固定され、中央位置を除いた位置に、上記中央開口と整合していない少なくとも1個の孔を有する外部保護ドームと
を備えていることを特徴とする請求項１〜７のいずれか1つに記載の通気性衣類。
【請求項１９】
ディスク状要素が、円形輪郭を有する中央開口を上部に有する錐台形輪郭を有していることを特徴とする請求項１８に記載の通気性衣類。
【請求項２０】
換気要素が、布の開口を貫通するように作られたチューブ状ステムを有するマッシュルーム状要素のヘッドであることを特徴とする請求項１９に記載の通気性衣類。
【請求項２１】
布への固定のための固定手段がステムとワッシャーを備え、ステムが、ワッシャーに当接して折り返される端部を有し、開口を取り囲む繊維がディスク状ヘッドとワッシャー間に押し付けられるようになっていることを特徴とする請求項１９または２０に記載の通気性衣類。
【請求項２２】
ワッシャーが、布に押し当てられるようになっている部分に、回転防止要素として働くポイントを有していることを特徴とする請求項２１に記載の通気性衣類。
【請求項２３】
回転防止針が、マッシュルーム状要素のヘッドから、布に接して配置される面において突出していることを特徴とする請求項２１に記載の通気性衣類。
【請求項２４】
保護ドームが、中央領域以外の領域に均等に分散されて形成された複数の孔を有していることを特徴とする請求項１８に記載の通気性衣類。
【請求項２５】
保護ドームが、固定領域を除いて上記要素から立ち上がっていることを特徴とする請求項１８に記載の通気性衣類。
【請求項２６】
保護ドームが、上記要素上に配置され対応周囲エッジの周りで折り返し可能な突出部をその全周の延伸部に沿って有していることを特徴とする請求項１８に記載の通気性衣類。
【請求項２７】
外被と内側層間にしん地層を備えていることを特徴とする請求項１〜２６のいずれか1つに記載の通気性衣類。
【請求項２８】
しん地層が、生綿、ウール、フェルトのような親水性材料、および/または他の類似の特性を持つ材料で構成されていることを特徴とする請求項２７に記載の通気性衣類。
【請求項２９】
しん地層が繊維からなり、その繊維は、相変化材料としてそれ自体公知の材料を、中空の繊維の場合には外側か内側かのいずれかに、そして少なくとも部分的に含むことを特徴とする請求項２７に記載の通気性衣類。
【請求項３０】
内側層を被覆する裏地を備え、内部空間用出入り孔が、その裏地に形成されていることを特徴とする請求項１〜２９のいずれか1つに記載の通気性衣類。
【請求項３１】
裏地が、水蒸気に対して透過性を持っていることを特徴とする請求項３０に記載の通気性衣類。
【請求項３２】
裏地が、メッシュ状構造を有していることを特徴とする請求項３０に記載の通気性衣類。
【請求項３３】
上記外被が、通気性および防水性のある膜、または他の材料に結合されていることを特徴とする請求項１〜３２のいずれか１つに記載の通気性衣類。
【請求項３４】
かぶりものの形態である請求項１〜３３のいずれか１つに記載の通気性衣類。
【請求項３５】
ヘルメットの形態である請求項３４記載の通気性衣類。
【発明の詳細な説明】
【０００１】
技術分野
この発明は、人体に対する快適さを改善する通気性着用衣類に関する。
【０００２】
背景技術
人々が衣類および履物を着用することにより、雪、雨、風のような大気の作用物および寒さから、身体を保護することが知られている。
より詳細には、人体は、主に衣類の種々の層の助けにより保護され、その第１の層（下着）は、身体に直接に接触し次いで外部温度および環境条件に応じて連続層により順に被覆されることが注目される。
【０００３】
外部からのこの種の保護を用いることにより、身体は容易に温度変化に適応することができる。
人が、存在する環境条件に依存して快適さを感じると共に最適な温度で存在するためには、１以上の「層」の衣類を加えたり除いたりするだけで実際は十分である。
例えば雨天の場合に、レインコートを用いて自身を保護したり戸外から温かい環境に帰ってきてコートを脱いだりするのは、当たり前のことである。
【０００４】
人体には、置かれた環境に体を熱的に適応させるのを助ける「機構」が、本来備わっている。
例えば、熱すぎる場合には、発汗をより盛んにすることで身体が反応し、汗が蒸発することにより体温を自然に低下させるようになっている。
人体により生じた熱は、発汗に加えて、放射により外部環境に伝えられる。
この熱は常に存在するものであり、身体と衣類との間に含まれる空気を温める。この空気は上昇することによりさらに、例えば肩に過熱状態と不快さを作り出し、そこがたまりの領域となる。
【０００５】
この欠点を解消するためには、衣類の内外での気圧差を利用して、蒸気の放出とは無関係に、衣類内部での換気効果(空気の入れ替え)を生み出したり最大限にしたりすることが必要である。
例えば、外部温度5℃で相対湿度50％かつ身体温度25℃で相対湿度90％では、得られる気圧差は約24ミリバールであり、無視できない要因である。
【０００６】
水蒸気が、人体を取り囲んでいる保護被覆(衣服)から発散されない場合、湿度が上昇して蒸気は凝縮されて汗の液体状態に戻り、従って第1の層を構成する下着を始めとする衣類を濡らしてしまう。
【０００７】
このプロセスの間にも現実に、さらに熱が放出される。
この不愉快な欠点は、例えば登山に挑戦し終わった直後のように、湿った衣類を乾いた衣類に着替えることによって改善されるが、このようにした場合、身体が急速に冷えて肺炎や風邪にかかる危険性がある。
高断熱材料を用いて非常に寒冷な条件に対して人体を保護することは大変に有効である一方、人体に正常に発汗させたり汗により生じた水蒸気を確実に発散させることはできないということに注目せざるを得ない。
当然、温かい季節にはこの問題は顕著になり、多くの人々は一日中に何度もシャワーを浴びたり、絶え間なく着替えたりしなければならない。
例えば、W.L. Gore & Associates, Inc.所有の商標"ゴア−テックス"により商業的に知られている材料を用いたような特殊な通気特性を備えた衣類を用いることにより、この欠点を改善する試みがなされてきた。しかしながら、実際にはこうした衣類では、汗により生じ、かつ、人体の特に汗腺が最も多い部分で生じた蒸気の一部分、大抵は非常にわずかの部分しか発散させることができず、従って、いずれの場合にも衣類内部での効果的空気の入れ替えが確実に行われない。
実際、蒸気の透過は限られた範囲でしか行われないが、これは着用した衣類の層内部において発生する局部的蒸気圧が、汗（蒸気相にある）を外に発散するのに十分でないためである。
【０００８】
他の場合では、例えば腋窩下のような汗が集中する衣類部分に多少閉鎖可能な開口を設ける試みがなされているが、これでさえも、実際には空気の入れ替えが行われないために特別な効果が確実に得られるものではない。
多数の開口を設けることにより効果を高めようとする試みが満足できる結果を生み得なかったことは注目すべきである。
実際には、衣類のいくらかの部分は人体(特に肩および胸）に常に直接くっついているため、身体の汗が蒸発することにより生じた水蒸気は、身体と、身体に直接くっついていない衣類部分（一般的には腹、背中の腰部、および特に腋窩部分）との間にたまったままとなり、発散されない。
【０００９】
他の公知の場合では、軍人、高温に曝される労働者、および消防士向けの個人用身体防具のような、水蒸気を周囲に発散しない無孔外衣の下に用いられる衣類についての米国特許第4451934号において、外衣と着用者とが接することがないように衣類内部に経路が設けられ、空気および蒸気が循環し対流により上方へ運ばれて大気中に放出される。
その経路は内側と端部とが開いていて、身体から汗により生じた蒸気を受け入れて放出することができるようになっている。しかしいずれにせよ、液体（水、または他の危険な化学薬品）が開口端を通って外から内に入ってくることを防ぐことはできず、衣類の着用者は著しい危険性と不快さに曝される。
いずれにせよこれは、常に外衣を組み合わせて用なければならない下衣類であり、外衣が無孔であることに起因する問題を軽減させるものである。
【００１０】
発明の開示
この発明のねらいは、上に記載したよくある欠点を解消する、人体に対する快適さを改善する通気性着用衣類を提供することである。
このねらいに関連して、この発明の重要な目的は、身体を取り囲む外被内部で適切に空気の入れ替え(換気)を確保しながら、防寒のために必要な温かさを逃さずに着用される衣類を提供することである。
【００１１】
他の目的は、汗により生じる水蒸気を排出させることができる一方で外部からの水を侵入させず、従って着用衣類の完全な防水が確保されている衣類を提供することである。
この発明の他の重要な目的は、人体の体温調節があらゆる点で自然に行われる通気性衣類を提供することである。
【００１２】
以下でさらに明らかになるこれらのおよび他の目的は、内側層を有する保護外被を備え、内側層が、外被の延長部分の少なくとも一部にわたって延伸して、内部空間を内側に形成し、通気性衣類により被覆された人体の汗が多く生じる領域に、汗の蒸気が内部空間に出入りするための孔を有し、内側層および外被が、内部空間の内部での煙突効果（stack effect）により導かれた蒸気を換気する換気孔を衣類の上部領域に有し、水、不純物、または他の物質を中に入れないための水滞留手段と組み合わされていることを特徴とする通気性衣類により達成される。
この発明の特徴および利点は、添付の図面において単に例示のために示されたいくつかの好ましい実施態様の以下の記載からより明らかになる。
【００１３】
発明の実施方法
特に図１、２、３、４、５、および６において、この発明による人体に対する快適さを改善する着用衣類が、この場合には厚手の上着10で構成されている。
厚手の上着10は、保護機能を持った外被11を有しており、適当な特性を備えた繊維または他の材料で好適に製造することができる。
外被11はさらに、不透水性のそれ自体公知の透湿膜と、または他の実施態様においては他の材料と組合わせることができる。
この特定の実施態様においては、それ自体公知のタイプのしん地層（padding layer）12を、外被11の内側に設けている。
好ましくは、しん地層12は、生綿、ウール、フェルトのような親水性材料、および/または他の類似の材料で構成されている。
【００１４】
このように、しん地層12の繊維間には空気が好都合に滞留し、従って外部に対して効果的な断熱が確保され人体周囲に温かさが保持される。
しん地層12を構成する繊維はさらに、汗を吸収することができる。
厚手の上着10には内側層13が設けられており、その構造については以下により詳細に記載する。
【００１５】
上記層は構造上その内部に、符号14で図式的に表わした内部空間を形成しており、以下に詳細に記載するようにこの内部空間内では水蒸気が循環できる。
内側層13は、しん地層12の内側に取り付けられており、それ自体公知のタイプの裏地15で被覆されている。
【００１６】
上記裏地は好ましくは、水蒸気に対して高度な透過性のあるタイプであり、従って人体が生じた汗を通す。
特定の部分、このケースでは腋窩の下および臀部の近接した部分に、吸込み孔16が存在する。吸込み孔16は裏地（lining）15および内側層13に形成されており、従って内部空間14へ水蒸気が自由に出入りできるようになっている。
厚手の上着10の肩を覆う部分には、孔17が存在する。この孔17は、外被11に、その下のしん地層12に、そして部分的に内側層13に形成されて内部空間14に連通されている。
【００１７】
特に図５に示すように、孔17が形成された部分では、保護外被11の下に膜22が存在する。膜22は不透水性である（この理由により膜22は滞留手段を構成する）が通気性があり、従って水蒸気を外へ換気することができる。
このように、外からきた水、例えば雨は透過できないが、水蒸気は容易に逃げることができるので、人体の自然な体温調節が確保される。
蒸気だけでなく空気にも透過性を持つと共に不透水性も持った膜も市販されており、孔17から蒸気が換気される一方で水、ダスト、不純物が衣類を通過しないようにする必要があるこの場合において、用いることができる。
【００１８】
これらの膜はさらに、その空気透過性により換気効果（空気の入れ替え）が確保されている。
膜22は、内および/または外側に設けられる保護膜22aと適切に組み合わせなければならないが、保護膜22aは、例えば織物または不織布で製造されており、劣化や物体との接触による損傷から膜22を保護するのに適当である。
多数の孔17がまとまって存在し、例えば外被11の一部と取り替えて衣類10に装着された図示しない挿入片に設けられている場合には、膜22の一部は当然、孔17に影響を及ぼしうる。
厚手の上着10はまた、例えば突然の嵐、風、および/または雨をよけるため温かい季節に用いることができるし、しん地層を外すだけでスポーツの活動中に用いることもできる。
【００１９】
このようにすれば、厚手の上着10は実際、その内部で生じた汗を放出ことができ、従って体温を下げながら身体の体温調節を自然に行うことができる。
厚手の上着10内部の層の外面と厚手の上着10の裏地15との間に存在し符号18で図式的に表わした空気を、人体が温める。
しん地層12による断熱効果、わけても大抵は防水性のある材料からなる外被11による断熱効果が高くなるにつれて、内部の空気18は温まり、発汗により湿気を帯びるようになる。
従って、湿気を帯びた空気18は、その熱により自然に膨張しがちになり、従って吸込み孔16を通過し、内側層13内に形成された内部空間14に達する。
【００２０】
この時点において、湿気を帯びた空気18は、終始上方へ移動することができるため、内部空間14に沿って上昇し、図３において符号19で図式的に表わした経路に沿って移動し、肩に形成された孔17に達し、膜22から外へ換気される。
膜22はむしろ、水や他の物質が内部空間14内に侵入することを防止する。
特に図６に示すように、内側層13はこの実施態様においては、2枚の平行な平坦なシート間に硬質の波形布シート20を挟むことにより得られ、これにより内側層13内部に内部空間14が形成される。このケースでは内部空間14は、水蒸気が容易に通過できる多数のダクトにより構成されている。
実際は、内部空間14を構成するダクトがほぼ垂直軸に沿って延びるように内側層13をしん地層12に取り付けるだけでよい。
【００２１】
特に図７に示すように、第2の実施態様が、パイル織物（pile cloth）状の材料で製造した内側層113を用いることにより得られる。内側層113はこのケースではかなりの厚みを有するが、等価の解決法において薄くすることもできる。内側層は、上に記載した外被およびしん地層と全く等価な外被111としん地層112とに結合している。
符号115で表わす裏地が存在することが注目に値することは、このケースでも明瞭である。つまり、上記裏地が孔116を有するため、パイル織物状の材料の繊維間に形成された内部空間114内部に水蒸気が出入りすることができる。
【００２２】
図８に示すように、第3の実施態様が、それ自体公知の外被211とそれ自体公知のしん地層212とに内側層213を結合させることにより得られる。内側層213は並列に配置された複数の小チューブ214により構成され、従ってチューブ214のそれぞれのチューブ内に設けられた一組の通路により内部空間215が形成されている。
この実施態様においても、内側層213は、チューブ214が垂直に延びるようしん地層212につながっている。
符号216で表わした裏地、裏地216に形成された出入り孔217、およびチューブ214が存在することが、このケースにおいても明瞭に見られる。
【００２３】
このようにした場合にのみ、水蒸気は実際に出入り孔217を通過し、チューブ214に沿って上昇し、衣類の上部領域に達することができる。
特に図９に示すように、第4の実施態様が、それ自体公知の外被311とそれ自体公知のしん地層312とに内側層313を結合させることにより得られる。内側層313は、内部を水蒸気が循環することのできる生綿で構成されている。
このケースにおいても、衣類は、蒸気出入り孔315が形成された裏地314により仕上げられている。
特に図10に示すように、第5の実施態様が、符号411で表わされそれ自体公知の外被と、それ自体公知のしん地層412とに内側層413を結合させることにより得られる。内側層413は、このケースでは商標ナイロンで商業的に知られている材料で製造された立体メッシュで形成されており、水蒸気用出入り孔416が形成された裏地415で被覆されている。
【００２４】
図１１に示すように、厚手の上着10の構造に係わる第2の実施態様で、符号517で表わした水蒸気換気孔が形成されている上部領域に、保護外被511と符号512で表わした下側のしん地層間での膜22の代わりとして、貫通孔523が形成された摺動平坦要素522により構成された他の滞留手段が存在している。
特に、貫通孔523は作動時における配置では、換気孔517と整合することにより、内側層513に形成された内部空間514が直接に外部と連通する。
このケースでは、平坦要素522は、外被511およびしん地層512に対して牽引力により摺動させることができる。この牽引力は、平坦要素522および部分的に外被511から一体として突出した突起部(図面を分かりやすくするために示さず）に対してこのケースではユーザにより直接に加えられ、従ってユーザの動作によって直接に利用できるようになっている。
【００２５】
このように、好ましくない状況が存在するとき、特に雨天の場合、ユーザは平坦要素522を摺動させ、そこに形成されている貫通孔523が換気孔517に対して整合しないようにし、従って水が浸透してくるのを防ぐことができるようになっている。
状況が許す場合は、代わりに、平坦要素522に形成された貫通孔523を換気孔517と整合させ、水蒸気を発散されて通常の体温調節を行うようにすることができる。
図１２に示すように、この通気性衣類は、外被611と下側のしん地層612とに換気孔617が形成された領域に、このケースではフラップ618により構成された水滞留手段を有する。フラップ618は、換気孔617が形成された外被611部分全てを被覆すべく以下に具体的に記載するように装着されている。
【００２６】
このケースでは、フラップ618は、肩に装着され、外被611に向いた面に複数のリッジ619を有している。これらのリッジ619により、フラップ618は外被611から適当に持ち上げられ、使用時には外被611および換気孔617に完全には当たらないようになっている。
【００２７】
このように、内側層613中に形成された内部空間614からきた水蒸気は、フラップ618を持ち上げているリッジ619により孔617を通過して発散することができる。
しかしながら同時に、雨は、フラップ618の外側で滑って離れるために外被に侵入することができない。
【００２８】
この実施態様においては、フラップ618は、ステッチシーム（stitched seams）620により外被に固定されているが、等価の実施態様において、例えば商標ベルクロで商業的に知られている材料からなるストリップによる他の固定手段を用いることができる。
特に図１３に示すように、第4の実施態様は、このケースでは水滞留手段に関し、少なくとも水蒸気換気領域において外被711により構成されている。外被711は、複数の小ドーム715で構成された構造を有し、商標名ストマテックスで商業的に公知である。
しん地層712と、内部空間714を形成する内側層713とが、通常のように外被の下でつなげられている。
このケースでは、スリット716が、外被711において小ドーム715のそれぞれの上部に形成されており、しん地層712に形成された対応する換気孔717に整合している。
【００２９】
このように、小ドーム715のそれぞれと下のしん地層712との間に形成された空気充満チャンバー718が、内部空間714から入り換気孔717および上のスリット716を通過して外側に発散される水蒸気の通過により影響を受ける。
空気充満チェンバー718のそれぞれの内部で測定することのできるより高い内圧により、水蒸気が容易に発散することができると同時に水の浸入が防止されるので、上記解決方法が非常に満足できるものであることは確かである。
このような構造は、身体を使った活動、例えばサイクリングを行う人々向けの身体にぴったりつく衣類に好適に用いることができ、ユーザの動作そのものにより、それぞれの空気充満チェンバー718が押し付けられて内部により高い圧力を生じるようになっている。
【００３０】
特に図１４に示すように、このケースでは、ワンウエーバルブ818で構成された水滞留手段を、外被811およびしん地層812に形成された換気孔817のそれぞれに設けることにより、第5の実施態様が得られる。
上記バルブは、換気孔817のそれぞれに蓋をするよう外被811に固定されたそれ自体公知のタイプの可動ディスクを備えている。
ワンウエーバルブ818のディスクは、下の部分、すなわち孔817内の圧力が外部圧力より高くなる度に立ち上がり、従って水蒸気を逃す。
【００３１】
明らかにこの発明実施態様においては、それぞれのバルブ818の可動ディスクにより、外部に存在するいかなる水も衣類に侵入させることなく、内側層813に形成された内部空間814から入った水蒸気を逃すことができる。
【００３２】
図１５および１６に示すように、これらの図面は、符号910で包括的に表わした水滞留手段の他の実施態様を示す。この水滞留手段はこのケースにおいては、分かりやすくするためにこれらの図面に示していない好ましくは防水タイプの、上で取りあげたような衣類の布911に装着される。
滞留手段910は、孔913が中央部分以外の領域に均等に分散されるように形成された保護ドーム912を備えている。
ドーム912は、チューブ状ステム916を備えるマッシュルーム状要素915のヘッド914の上に固定されている。このケースではヘッド914はディスク形である。
【００３３】
他のケースでは、ヘッド914はさらに、多角形、卵形、楕円形、または他の形状であってもよい。
ドーム912は、固定部分を除いてディスク状ヘッド914から立ち上がっている。
ディスク状ヘッド914は、錐台形輪郭を有し従ってその周縁部に向かって傾斜し、かつ上部にこのケースでは円形の中央開口917を有する換気要素を構成している。
マッシュルーム状要素915は、上記の様々なケースで取りあげた内部空間を衣類の上部の外側へ連通する孔918の1個において布911につながっているのが適当である。
ステム916は、端部920を有している。この端部920は開口918およびそれ自体公知のタイプの固定ワッシャー919を連続して貫通した後、ワッシャー919に対して折り返されるのが好都合であり、それによって、開口918を取り囲む布911がディスク状ヘッド914とワッシャー919間で押し付けられるようになっている。
【００３４】
この実施態様において、ワッシャー919は、布911に押し当てられるのに適した部分に、回転防止要素として働く針921を有している。
加えて、針921と全く等価である回転防止のための針922がさらに、マッシュルーム状要素915のディスク状ヘッド914の、布911に接して配置されるように設計された面から突出している。
要約すると、滞留手段910により、水蒸気が、布911の下の領域から、マッシュルーム状要素915のディスク状ヘッド914に形成された孔917を通過しそこから、保護ドーム912に形成された孔913を通過して容易に発散することができる。
【００３５】
同様にして、外からの空気が布911の下の部分に容易に入ることができ、人体の最適な熱の換気が確保されるようになっている。
しかしながら、降雨の場合には、保護ドーム912の孔913を通過することのできる水滴は、開口917に入ることができない。これは、孔913がその開口と整合しておらず、そして実にディスク状ヘッド914の錐台状輪郭のために水滴がヘッドの外部分に向かって、矢印923で図式的に示したように滑った後、保護ドーム912の周囲に沿って配置された孔913を通って適当に排出されるからである。
特に図１７を参照すると、滞留手段の他の実施態様が、このケースでは符号1010で表わされ、上記保護ドームと全く等価であり、かつ、孔1013が周囲部分に形成された保護ドーム1012を備えている。
【００３６】
このケースにおいては、ドーム1012は、その全周の延長部に沿って突出部1023を有している。この突出部1023は、マッシュルーム状の換気要素1015のディスク状ヘッド1014の上に配置された後、ヘッド1014の対応周囲端の周りで折り返されるのが適当である。
この実施態様においても、ヘッド1014は上部に、ドーム1012の孔1013と整合しない中央開口1017を形成している。
【００３７】
要約すると、滞留手段910に代わりに記載されている滞留手段1010は、水蒸気の通過を確保するものである。水蒸気は、布1011の下の部分から出て、開口1017を通過し、ドーム1012に形成された孔1013を通過する。
同様にして、雨滴は通過することができず、むしろディスク状ヘッド1014上を滑ることにより装置1010の外部領域に向かって運搬される。
【００３８】
図１８に示すように、符号1110で表わされかつこの発明に従って得られた通気性のあるズボンは、厚手の上着10と全く等価である。
ズボン1110は実際、保護機能を有する外被1111により構成されている。外被1111には、分かりやすくするために図示されていないそれ自体公知のタイプのしん地層が内側に付設されている。
ズボン1110は、内側層1113を有するのが好都合である。内側層1113は、図６、７、８、９、および１０において上に示した構造の１つと全く等価である構造を有し、かつ水蒸気が循環できる内部空間を内側に形成している。
【００３９】
内側層1113は、水蒸気透過性の裏地1115で被覆されている。裏地1115には、吸込み孔1116が、少なくとも汗腺が最も多い人体部分に形成されており、蒸気は孔1116を通過して内部空間の内部に出入りする。
ズボン1110のウエストを取り囲む部分には水蒸気換気孔1117が存在する。この水蒸気換気孔1117は、外被1111と、下のしん地層と、必要であれば内側層1113とに形成されて内部空間に連通するようになっている。
孔1117は、膜1122と組み合されている。膜1122は、既に取りあげた孔22と全く等価であり、外側保護膜1122aに結合されている。
【００４０】
または代わりに、上記様々な滞留手段の1個を設けることができる。
ユーザの脚とズボン1110の裏地間に存在して符号1118で図式的に表わされた空気が温まり、しん地層による断熱効果と外被1111の殆どの部分による断熱効果が高くなるにつれて、空気は発汗により湿気を帯びるようになる。
従って、湿気を帯びた空気1118は、その熱により自然に膨張しやすくなるため吸込み孔1116を通過し、内側層1113に形成された内部空間に達する。
【００４１】
この時点において、湿気を帯びた空気1118は、終始上方へ移動することができるため、内部空間に沿って上昇し、ベルト部分に形成された孔1117に達し、膜1122を通過して外へ換気される。
実施することにより、この発明がねらいおよび全ての目的を効果的に達成したことが見出されている。
とりわけ、この発明は、全てが同じ発明の概念の範囲内にある多数の修正および変更を行うことができる。
例えば、裏地は、メッシュ状構造で置き換えてもよいし衣類から省いてもよい。
【００４２】
他の実施態様においては、しん地層を繊維により構成する。これらの繊維には「相変化材料」としてそれ自体公知の材料が、例えば1997年9月18日付け特許出願WO 98/123066、および欧州特許no. 3116432に開示されている方法で、外側か内側（それらの繊維が中空である場合）かのいずれかにそして少なくとも部分的に含まれている。
この実施態様において、上記の相変化材料は実際、それらが特別に熱を保持、蓄積することができるように熱を遮断するための厚みを低減することができる。
身体により生じた熱は汗を生じるが、汗は通気性衣類からの蒸発により放出され、熱は相変化材料により（放射および/または伝導により）吸収される。
身体が汗を発散し熱の生成を停止した場合、上記材料は実際、前に蓄積された熱を換気するように働き、かつ突然に冷えることを防ぐために身体にとって熱が「利用できる」ようにする。
通気性衣類の構造が、縁のない帽子、縁のある帽子、およびヘルメットを含む全ての衣類まで容易に敷衍されうることは明らかである。
【００４３】
この発明の利点により達成され考慮しもう一度留意すべき利点は、身体を寒気から保護するのに必要な温かさを発散してしまうことなく、身体を取り囲む保護外被内部で適切な空気の入れ替えを確保する衣類を完成したことである。
達成された他の重要な利点は、汗により生じた水蒸気は発散することができ、外からの水の浸入は防ぎ従って防水性が確保された衣類が得られたことである。
【００４４】
留意すべきさらに他の重要な利点は、その内部での連続的かつ実質的空気の入れ替えによる換気効果により、さらに人体の自然な体温調節をあらゆる点で行うことのできる通気性衣類を完成したことである。
この発明により得られた衣類は、実際、高い気温により汗の生成が高まる夏でも問題なく（例えばしん地層を外すことにより）着用することができる。
【００４５】
汗は、通気性衣類から非常に効果的に放出され、従って人体は全く自然に自身の体温を調節することができる。
細部は全て、他の技術的に等価な要素と取り替えてもよい。
使用材料は、付随する用途に適合する限り要件に応じていかなるものを用いてもよく、寸法についても同様である。
【００４６】
この出願が優先権を主張するイタリア特許出願No. PD99A000149の開示事項が、引用によりここに組み込まれている。
【図面の簡単な説明】
【図１】  この発明に従った厚手の上着の断面図である。
【図２】  図1の上着の他の断面図である。
【図３】  図1の厚手の上着の略正面図である。
【図４】  上記図面の厚手の上着の斜視図である。
【図５】  上記図面の厚手の上着の上部領域の細部斜視図である。
【図６】  上の図面に示した上着の一部の部分斜視断面図である。
【図７】  図６の部分の第2の実施態様の斜視図である。
【図８】  図６の部分の第3の実施態様の斜視図である。
【図９】  図６の部分の第4の実施態様の斜視図である。
【図１０】  図６の部分の第5の実施態様の斜視図である。
【図１１】  図５の細部の第2の実施態様の斜視図である。
【図１２】  図５の細部の第3の実施態様の断面図である。
【図１３】  図５の細部の第4の実施態様の斜視図である。
【図１４】  図５の細部の第5の実施態様の斜視図である。
【図１５】  図５の細部の第6の実施態様の斜視図である。
【図１６】  図１５の細部の断面図である。
【図１７】  図１５の細部の他の実施態様の断面図である。
【図１８】  この発明に従って得られたズボンの略正面図である。
【図１】
0004727877.tif 000002
【図２】
0004727877.tif 000003
【図３】
0004727877.tif 000004
【図４】
0004727877.tif 000005
【図６】
0004727877.tif 000006
【図７】
0004727877.tif 000007
【図８】
0004727877.tif 000008
【図９】
0004727877.tif 000009
【図１０】
0004727877.tif 000010
【図５】
0004727877.tif 000011
【図１１】
0004727877.tif 000012
【図１２】
0004727877.tif 000013
【図１３】
0004727877.tif 000014
【図１４】
0004727877.tif 000015
【図１５】
0004727877.tif 000016
【図１６】
0004727877.tif 000017
【図１７】
0004727877.tif 000018
【図１８】
0004727877.tif 000019